(57)【要約】本発明に係る移動通信システムにおいて、ホーム基地局Ｈｏｍｅ-ｅＮＢ配下のＣＳＧセルを介する通信を許容する特定移動局を管理するように構成されており、特定移動局以外の一般移動局ＵＥは、ＣＳＧセルにおける待ち受けを許容することを通知する報知情報を受信した場合にのみ、ＣＳＧセルを待ち受けセルとするように構成されている。
2009057602.tif 000002
【特許請求の範囲】
【請求項１】
特定セルを介する通信を許容する特定移動局を管理するように構成されており、
前記特定移動局以外の一般移動局は、前記特定セルにおける待ち受けを許容することを通知する報知情報を受信した場合にのみ、該特定セルを待ち受けセルとすることができるように構成されていることを特徴とする移動通信システム。
【請求項２】
前記一般移動局は、前記特定セルにおける待ち受けを許容することを通知する報知情報を受信した場合で、かつ、該特定セル以外に所定の無線状態を満たすセルを検出できない場合にのみ、該特定セルを待ち受けセルとすることができるように構成されていることを特徴とする請求項１に記載の移動通信システム。
【請求項３】
前記特定セルを待ち受けセルとしている一般移動局は、該特定セルを介する通信を禁止することを通知する報知情報を受信していない限り、該特定セルを介する通信を行うことができるように構成されていることを特徴とする請求項１に記載の移動通信システム。
【請求項４】
前記特定移動局によって前記特定セルに対して送信された発信要求についての受付制御方法と、前記一般移動局によって該特定セルに対して送信された発信要求についての受付制御方法とを差別化するように構成されていることを特徴とする請求項３に記載の移動通信システム。
【請求項５】
前記特定移動局によって前記特定セルに対する発信要求の送信確率或いは規制確率と、前記一般移動局による該特定セルに対する発信要求の送信確率或いは規制確率とを差別化するように構成されていることを特徴とする請求項３に記載の移動通信システム。
【請求項６】
前記特定移動局によって前記特定セルを介して行われる通信の料金と、前記一般移動局によって該特定セルを介して行われる通信の料金とを差別化するように構成されていることを特徴とする請求項３に記載の移動通信システム。
【請求項７】
前記特定セルを介して前記特定移動局に対して提供可能な通信サービスの種類と、該特定セルを介して前記一般移動局に対して提供可能な通信サービスの種類とを差別化するように構成されていることを特徴とする請求項３に記載の移動通信システム。
【請求項８】
前記特定移動局によって前記特定セルを介して行われる上り通信におけるデータ伝送速度と、前記一般移動局によって該特定セルを介して行われる上り通信におけるデータ伝送速度とを差別化するように構成されていることを特徴とする請求項３に記載の移動通信システム。
【請求項９】
前記特定移動局によって前記特定セルを介して行われる通信におけるサービス品質と、前記一般移動局によって該特定セルを介して行われる通信におけるサービス品質とを差別化するように構成されていることを特徴とする請求項３に記載の移動通信システム。
【請求項１０】
特定セルを介する通信を許容する特定移動局を管理するように構成されている移動通信システムに設けられている基地局であって、
前記特定移動局以外の一般移動局に対して、前記特定セルにおける待ち受けを許容するか否かについて通知する報知情報を送信するように構成されている報知情報送信部を具備することを特徴とする基地局。
【請求項１１】
前記報知情報送信部は、前記一般移動局に対して、前記特定セルにおける待ち受けを許容することを通知する報知情報を受信した場合で、かつ、該特定セル以外に所定の無線状態を満たすセルを検出できない場合にのみ、特定セルにおける待ち受けを許容することを通知する報知情報を送信するように構成されていることを特徴とする請求項１０に記載の基地局。
【請求項１２】
前記報知情報送信部は、無線状態に応じて、前記特定移動局及び前記一般移動局のそれぞれに対して、別々に、前記特定セルを介する通信を禁止するか否かについて通知する報知情報を送信するように構成されていることを特徴とする請求項１０に記載の基地局。
【請求項１３】
前記報知情報送信部は、前記特定移動局及び前記一般移動局のそれぞれに対して、別々に、前記特定セルに対する発信要求の送信確率或いは規制確率を通知する報知情報を送信するように構成されていることを特徴とする請求項１０に記載の基地局。
【請求項１４】
前記報知情報送信部は、前記特定移動局及び前記一般移動局のそれぞれに対して、別々に、前記特定セルを介して提供可能な通信サービスの種類を通知する報知情報を送信するように構成されていることを特徴とする請求項１０に記載の基地局。
【請求項１５】
前記特定移動局及び前記一般移動局のそれぞれに対して、別々に、前記特定セルを介して行われる上り通信におけるデータ伝送速度を通知するように構成されているスケジューリング部を具備することを特徴とする請求項１０に記載の基地局。
【請求項１６】
特定セルを介する通信を許容する特定移動局を管理するように構成されている移動通信システムで用いられる移動局であって、
前記特定移動局として管理されていない場合で、かつ、該特定セルにおける待ち受けを許容することを通知する報知情報を受信した場合にのみ、該特定セルを待ち受けセルとすることができるように構成されている待ち受けセル決定部を具備することを特徴とする移動局。
【請求項１７】
前記待ち受けセル決定部は、前記特定移動局として管理されていない場合で、該特定セル以外に所定の無線状態を満たすセルを検出できない場合で、かつ、該特定セルにおける待ち受けを許容することを通知する報知情報を受信した場合にのみ、該特定セルを待ち受けセルとすることができるように構成されていることを特徴とする請求項１６に記載の移動局。
【請求項１８】
前記特定セルを待ち受けセルとしている場合、該特定セルを介する通信を禁止することを通知する報知情報を受信していない限り、該特定セルに対して発信要求を送信することができるように構成されている発信処理部を具備することを特徴とする請求項１６に記載の移動局。
【発明の詳細な説明】
【技術分野】
【０００１】
本発明は、移動通信システム、ホーム基地局及び移動局に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）における「ＬＴＥ（Ｌｏｎｇ  Ｔｅｒｍ  Ｅｖｏｌｕｔｉｏｎ）」のＲＡＮ-ＷＧにおいて、ホーム基地局Ｈｏｍｅ-ｅＮＢについて議論されている。【０００３】
具体的には、現在の３ＧＰＰの規定では、移動通信システムにおいて、ホーム基地局Ｈｏｍｅ-ｅＮＢ又はマクロ基地局ｅＮＢ配下のＣＳＧ（Ｃｌｏｓｅｄ  Ｓｕｂｓｃｒｉｂｅｒ  Ｇｒｏｕｐ）に属する特定移動局（特定セルを介する通信を許容する特定移動局）を管理するように構成されている。【０００４】
すなわち、現在の３ＧＰＰの規定では、ＣＳＧに属する特定移動局のみが、ホーム基地局Ｈｏｍｅ-ｅＮＢ又はマクロ基地局ｅＮＢ配下のＣＳＧセル（特定セル）を介して通信を行うことができるように構成されている。【０００５】
しかしながら、現在の３ＧＰＰの規定では、特定移動局以外の一般移動局が、ＣＳＧセル以外に所定の無線状態を満たすセルを検出できない場合であっても、当該ＣＳＧセルを介して通信を行うことができなかった。【０００６】
一般的に、ホーム基地局Ｈｏｍｅ-ｅＮＢは、屋内に設置されることが想定されており、屋外に設置された公衆無線網におけるマクロ基地局ｅＮＢからの電波の不感地にも設置することが想定されているため、上述のように、特定移動局以外の一般移動局が、ホーム基地局Ｈｏｍｅ-ｅＮＢ配下のＣＳＧセル以外に所定の無線状態を満たすセルを検出できないという状況が発生することも多くなるものと考えられる。【０００７】
かかる場合、たとえ、ＣＳＧセルにおける無線リソースに空きがあったとしても、一般移動局は、かかるＣＳＧセルを待ち受けセルとすることができず、圏外になってしまう。【０００８】
また、一方で、多数のＣＳＧセルを公衆無線網（マクロセル）と同一の周波数帯で運用すると、相互干渉が問題となる。【０００９】
例えば、伝搬損失が少ないＣＳＧセルが近辺にある場所で、当該ＣＳＧセルへのアクセス権がない移動局が、マクロセルとの通信を行うと、当該ＣＳＧセルへの上り干渉が著しく増大してしまう。【００１０】
一方、かかる移動局の下り通信に、当該ＣＳＧセルからの電波による干渉が発生し、通信品質を著しく劣化させてしまう。【００１１】
また、他方で、多数のＣＳＧセルがマクロセルと異なる周波数帯で運用された場合も、異なるＣＳＧセル同士の干渉が問題となる。【００１２】
特に、ホーム基地局は、エンドユーザによる設置が想定され、十分なセル設計が施されない状況が想定されるため、ＣＳＧセルの相互干渉が重大な問題となり得る。
【発明の開示】
【００１３】
そこで、本発明は、上述の課題に鑑みてなされたものであり、特定移動局以外の一般移動局に対して、報知情報を送信することによって、特定セル（ＣＳＧセル）を介する通信を許容することができる移動通信システム、基地局及び移動局を提供することを目的とする。
【００１４】
本発明の第１の特徴は、移動通信システムであって、前記ホーム基地局配下の特定セルを介する通信を許容する特定移動局を管理するように構成されており、前記特定移動局以外の一般移動局は、該特定セルにおける待ち受けを許容することを通知する報知情報を受信した場合にのみ、該特定セルを待ち受けセルとすることができるように構成されていることを要旨とする。
【００１５】
本発明の第１の特徴において、前記一般移動局は、前記特定セル以外に所定の無線状態を満たすセルを検出できない場合で、かつ、該特定セルにおける待ち受けを許容することを通知する報知情報を受信した場合にのみ、該特定セルを待ち受けセルとすることができるように構成されていてもよい。
【００１６】
本発明の第１の特徴において、前記特定セルを待ち受けセルとしている一般移動局は、該特定セルを介する通信を禁止することを通知する報知情報を受信していない限り、該特定セルを介する通信を行うことができるように構成されていてもよい。
【００１７】
本発明の第１の特徴において、前記特定移動局によって前記特定セルに対して送信された発信要求についての受付制御方法と、前記一般移動局によって該特定セルに対して送信された発信要求についての受付制御方法とを差別化するように構成されていてもよい。
【００１８】
本発明の第１の特徴において、前記特定移動局によって前記特定セルに対する発信要求の送信確率或いは規制確率と、前記一般移動局による該特定セルに対する発信要求の送信確率或いは規制確率とを差別化するように構成されていてもよい。
【００１９】
本発明の第１の特徴において、前記特定移動局によって前記特定セルを介して行われる通信の料金と、前記一般移動局によって該特定セルを介して行われる通信の料金とを差別化するように構成されていてもよい。
【００２０】
本発明の第１の特徴において、前記特定セルを介して前記特定移動局に対して提供可能な通信サービスの種類と、該特定セルを介して前記一般移動局に対して提供可能な通信サービスの種類とを差別化するように構成されていてもよい。
【００２１】
本発明の第１の特徴において、前記特定移動局によって前記特定セルを介して行われる上り通信におけるデータ伝送速度と、前記一般移動局によって該特定セルを介して行われる上り通信におけるデータ伝送速度とを差別化するように構成されていてもよい。
【００２２】
本発明の第１の特徴において、前記特定移動局によって前記特定セルを介して行われる通信におけるサービス品質と、前記一般移動局によって該特定セルを介して行われる通信におけるサービス品質とを差別化するように構成されていてもよい。
【００２３】
本発明の第２の特徴は、特定セルを介する通信を許容する特定移動局を管理するように構成されている移動通信システムで用いられる基地局であって、前記特定移動局以外の一般移動局に対して、前記特定セルにおける待ち受けを許容するか否かについて通知する報知情報を送信するように構成されている報知情報送信部とを具備することを要旨とする。
【００２４】
本発明の第２の特徴において、前記報知情報送信部は、前記特定セル以外に所定の無線状態を満たすセルを検出できない場合で、かつ、該特定セル以外に所定の無線状態を満たすセルを検出できない場合にのみ、特定セルにおける待ち受けを許容することを通知する報知情報を送信するように構成されていてもよい。  本発明の第２の特徴において、前記報知情報送信部は、無線状態（例えば、混雑度）に応じて、前記特定移動局及び前記一般移動局のそれぞれに対して、別々に、前記特定セルを介する通信を禁止するか否かについて通知する報知情報を送信するように構成されていてもよい。
【００２５】
本発明の第２の特徴において、前記報知情報送信部は、前記特定移動局及び前記一般移動局のそれぞれに対して、別々に、前記特定セルに対する発信要求の送信確率或いは規制確率を通知する報知情報を送信するように構成されていてもよい。
【００２６】
本発明の第２の特徴において、前記報知情報送信部は、前記特定移動局及び前記一般移動局のそれぞれに対して、別々に、前記特定セルを介して提供可能な通信サービスの種類を通知する報知情報を送信するように構成されていてもよい。
【００２７】
本発明の第２の特徴において、前記特定移動局及び前記一般移動局のそれぞれに対して、別々に、前記特定セルを介して行われる上り通信におけるデータ伝送速度を通知するように構成されているスケジューリング部を具備してもよい。
【００２８】
本発明の第３の特徴は、特定セルを介する通信を許容する特定移動局を管理するように構成されている移動通信システムで用いられる移動局であって、前記特定移動局として管理されていない場合で、かつ、該特定セルにおける待ち受けを許容することを通知する報知情報を受信した場合にのみ、該特定セルを待ち受けセルとすることができるように構成されている待ち受けセル決定部を具備することを要旨とする。
【００２９】
本発明の第３の特徴において、前記待ち受けセル決定部は、前記特定移動局として管理されていない場合で、該特定セル以外に所定の無線状態を満たすセルを検出できない場合で、かつ、該特定セルにおける待ち受けを許容することを通知する報知情報を受信した場合にのみ、該特定セルを待ち受けセルとすることができるように構成されていてもよい。
【００３０】
本発明の第３の特徴において、前記特定セルを待ち受けセルとしている場合、該特定セルを介する通信を禁止することを通知する報知情報を受信していない限り、該特定セルに対して発信要求を送信することができるように構成されている発信処理部を具備してもよい。
【図面の簡単な説明】
【００３１】
【図１】図１は、本発明の第１の実施形態に係る移動通信システムの全体構成図である。
【図２】図２は、本発明の第１の実施形態に係る交換装置の機能ブロック図である。
【図３】図３は、本発明の第１の実施形態に係るホーム基地局の機能ブロック図である。
【図４】図４は、本発明の第１の実施形態に係る移動局の機能ブロック図である。
【図５】図５は、本発明の第１の実施形態に係る移動局の待ち受けセルを決定する動作を示すフローチャートである。
【図６】図６は、本発明の第１の実施形態に係る移動通信システムにおける発信処理を示すシーケンス図である。
【図７】図７は、本発明の第１の実施形態に係る移動通信システムにおける発信処理を示すシーケンス図である。
【図８】図８は、本発明の第１の実施形態に係る移動通信システムにおける発信処理を示すシーケンス図である。
【図９】図９は、本発明の第１の実施形態に係る移動通信システムにおける着信処理を示すシーケンス図である。
【図１０】図１０は、本発明の第１の実施形態に係る移動通信システムにおける着信処理を示すシーケンス図である。
【発明を実施するための最良の形態】
【００３２】
（本発明の第１の実施形態に係る移動通信システムの構成）
図１乃至図４を参照して、本発明の第１の実施形態に係る移動通信システムの構成について説明する。【００３３】
図１に示すように、本実施形態に係る移動通信システムは、ゲートウェイ装置Ｓ-ＧＷ（Ｓｅｒｖｉｎｇ  Ｇａｔｅｗａｙ）と、交換装置ＭＭＥ（Ｍｏｂｉｌｉｔｙ  Ｍａｎａｇｅｍｅｎｔ  Ｅｎｔｉｔｙ）と、ＣＳＧセル（特定セル）を管理するホーム基地局Ｈｏｍｅ-ｅＮＢと、一般セルを管理するマクロ基地局ｅＮＢと、移動局ＵＥとを具備している。【００３４】
ここで、ＣＳＧセルは、アクセス権を有するグループであるＣＳＧが設定されているセルであり、一般セルは、ＣＳＧが設定されていないセルである。【００３５】
また、移動局ＵＥは、ＣＳＧに属しない場合に「一般移動局」となり、ＣＳＧに属する場合に（すなわち、ＣＳＧセルを介する通信を許容する移動局として管理されている場合に）「特定移動局」となる。【００３６】
なお、ＣＳＧは、いわゆる家庭に設置されるホーム基地局Ｈｏｍｅ-ｅＮＢ以外にも、オフィス環境や喫茶店や学校等に設置されるマクロ基地局ｅＮＢに対しても設定することができる。【００３７】
例えば、オフィスの従業員のみにアクセス権を与えたり、喫茶店の従業員及び来客者に一時的にアクセス権を与えたりするといった場合も想定される。【００３８】
この場合には、同一のＣＳＧが、複数のセルや複数の基地局に渡って設定される場合もあり、基地局は、小型で小電力のものから大型で大電力のものまで、多様である。【００３９】
したがって、本明細書では、以下、これらのシナリオを包含し、便宜上、ＣＳＧが設定されているセル（ＣＳＧセル）を管理するホーム基地局Ｈｏｍｅ-ｅＮＢ及びマクロ基地局ｅＮＢを併せて「ホーム基地局Ｈｏｍｅ-ｅＮＢ」と呼ぶこととする。【００４０】
本実施形態に係る移動通信システムでは、一般移動局は、ＣＳＧセルにおける待ち受けを許容することを通知する報知情報を受信した場合にのみ、ＣＳＧセルを待ち受けセルとすることができるように構成されている。【００４１】
特に、本実施形態に係る移動通信システムでは、一般移動局は、ＣＳＧセル（特定セル）以外に所定の無線状態を満たすセル（一般セル）を検出できない場合で、かつ、ＣＳＧセルにおける待ち受けを許容することを通知する報知情報を受信した場合にのみ、ＣＳＧセルを待ち受けセルとすることができるように構成されていてもよい。【００４２】
例えば、本実施形態に係る移動通信システムでは、一般移動局は、ＣＳＧセルで利用されている周波数と異なる周波数において、所定の無線状態を満たすセル（一般セル）を検出できない場合で、かつ、ＣＳＧセルにおける待ち受けを許容することを通知する報知情報を受信した場合にのみ、ＣＳＧセルを待ち受けセルとすることができるように構成されていてもよい。【００４３】
また、本実施形態に係る移動通信システムでは、ＣＳＧセルを待ち受けセルとしている一般移動局は、ＣＳＧセルを介する通信を禁止することを通知する報知情報を受信していない限り、ＣＳＧセルを介する通信を行うことができるように構成されている。【００４４】
また、本実施形態に係る移動通信システムでは、特定移動局によってＣＳＧセルに対して送信された発信要求についての受付制御方法と、一般移動局によってＣＳＧセルに対して送信された発信要求についての受付制御方法とを差別化するように構成されていてもよい。【００４５】
また、本実施形態に係る移動通信システムでは、特定移動局によってＣＳＧセルに対する発信要求の送信確率或いは規制確率と、一般移動局によるＣＳＧセルに対する発信要求の送信確率或いは規制確率とを差別化するように構成されていてもよい。【００４６】
また、本実施形態に係る移動通信システムでは、特定移動局によってＣＳＧセルを介して行われる通信の料金と、一般移動局によってＣＳＧセルを介して行われる通信の料金とを差別化するように構成されていてもよい。【００４７】
また、本実施形態に係る移動通信システムでは、ＣＳＧセルを介して特定移動局に対して提供可能な通信サービスの種類と、ＣＳＧセルを介して一般移動局に対して提供可能な通信サービスの種類とを差別化するように構成されていてもよい。【００４８】
また、本実施形態に係る移動通信システムでは、特定移動局によってＣＳＧセルを介して行われる上り通信におけるデータ伝送速度と、一般移動局によってＣＳＧセルを介して行われる上り通信におけるデータ伝送速度とを差別化するように構成されていてもよい。【００４９】
さらに、本実施形態に係る移動通信システムでは、特定移動局によってＣＳＧセルを介して行われる通信におけるサービス品質と、一般移動局によってＣＳＧセルを介して行われる通信におけるサービス品質とを差別化するように構成されていてもよい。【００５０】
図２に示すように、交換装置ＭＭＥは、アクセス権管理部３１と、着信処理部３２と、発信処理部３３と、課金処理部３４とを具備している。【００５１】
アクセス権管理部３１は、交換装置ＭＭＥに接続されている各ホーム基地局Ｈｏｍｅ-ｅＮＢ配下の各ＣＳＧセルにおける特定移動局（各ＣＳＧセルを介する通信を許容する移動局）について管理するように構成されている。【００５２】
また、アクセス権管理部３１は、各ＣＳＧセルにおいて、一般移動局に対して、当該ＣＳＧセルにおける待ち受けを許容するか否かについて管理するように構成されている。【００５３】
具体的には、アクセス権管理部３１は、各ＣＳＧセルにおいて、一般移動局に対して、当該ＣＳＧセル以外に所定の無線状態を満たす一般セルを検出できない場合にのみ、当該ＣＳＧセルにおける待ち受けを許容するように管理していてもよい。【００５４】
或いは、アクセス権管理部３１は、各ＣＳＧセルにおいて、一般移動局に対して、当該ＣＳＧセル以外に所定の無線状態を満たす一般セルを検出できたか否かに関係なく、当該ＣＳＧセルにおける待ち受けを許容するように管理していてもよい。【００５５】
着信処理部３２は、交換装置ＭＭＥに接続されている各ホーム基地局Ｈｏｍｅ-ｅＮＢ配下のＣＳＧセル及び各無線基地局ｅＮＢ配下の一般セルにて待ち受けを行っている移動局ＵＥに対する着信処理を行うように構成されている。【００５６】
例えば、着信処理部３２は、ゲートウェイ装置Ｓ-ＧＷから受信した移動局ＵＥ宛てのページング信号を、当該移動局ＵＥの待ち受けセルを管理するホーム基地局Ｈｏｍｅ-ｅＮＢ或いは無線基地局ｅＮＢに転送するように構成されている。【００５７】
ただし、着信処理部３２は、ゲートウェイ装置Ｓ-ＧＷから一般移動局宛てのページング信号を受信した場合であっても、当該一般移動局の待ち受けセル（ＣＳＧセル）において、一般移動局に対して当該ＣＳＧセルを介する通信を禁止するように設定されている場合には、当該一般移動局宛てのページング信号を、当該ＣＳＧセルを管理するホーム基地局Ｈｏｍｅ-ｅＮＢに対して転送しないように構成されていてもよい。【００５８】
また、着信処理部３２は、ゲートウェイ装置Ｓ-ＧＷから特定移動局宛てのページング信号を受信した場合であっても、当該特定移動局の待ち受けセル（ＣＳＧセル）において、特定移動局ＵＥに対して当該ＣＳＧセルを介する通信を禁止するように設定されている場合には、当該特定移動局宛てのページング信号を、当該ＣＳＧセルを管理するホーム基地局Ｈｏｍｅ-ｅＮＢに対して転送しないように構成されていてもよい。【００５９】
発信処理部３３は、交換装置ＭＭＥに接続されている各ホーム基地局Ｈｏｍｅ-ｅＮＢ配下のＣＳＧセル及び各無線基地局ｅＮＢ配下の一般セルにて待ち受けを行っている移動局ＵＥから送信された発信要求（Ｓｅｒｖｉｃｅ  Ｒｅｑｕｅｓｔ）に応じた発信処理を行うように構成されている。【００６０】
例えば、発信処理部３３は、一般移動局からの発信要求（Ｓｅｒｖｉｃｅ  Ｒｅｑｕｅｓｔ）を受信した場合であっても、当該一般移動局の待ち受けセル（ＣＳＧセル）において、一般移動局に対して当該ＣＳＧセルを介する通信を禁止するように設定されている場合には、当該一般移動局からの発信要求（Ｓｅｒｖｉｃｅ  Ｒｅｑｕｅｓｔ）を受け付けないように構成されていてもよい。【００６１】
また、発信処理部３３は、特定移動局からの発信要求（Ｓｅｒｖｉｃｅ  Ｒｅｑｕｅｓｔ）を受信した場合であっても、当該特定移動局の待ち受けセル（ＣＳＧセル）において、特定移動局に対して当該ＣＳＧセルを介する通信を禁止するように設定されている場合には、当該特定移動局からの発信要求（Ｓｅｒｖｉｃｅ  Ｒｅｑｕｅｓｔ）を受け付けないように構成されていてもよい。【００６２】
また、発信処理部３３は、上述の移動局ＵＥから送信された発信要求（Ｓｅｒｖｉｃｅ  Ｒｅｑｕｅｓｔ）に応じて、当該移動局ＵＥによってＣＳＧセルを介して行われる通信におけるサービス品質を決定して通知するように構成されている。【００６３】
例えば、発信処理部３３は、かかるサービス品質として、かかる通信における「補償伝送速度ＧＢＲ（Ｇｕａｒａｎｔｅｅｄ  Ｂｉｔ  Ｒａｔｅ）」や「最大伝送速度」や「許容遅延時間」や「許容データ損失率」等からなるＱｏＳ（Ｑｕａｌｉｔｙ  ｏｆ  Ｓｅｒｖｉｃｅ）」クラスを決定するように構成されている。【００６４】
ここで、発信処理部３３は、特定移動局によってＣＳＧセルを介して行われる通信におけるサービス品質（ＱｏＳクラス）と、一般移動局によってＣＳＧセルを介して行われる通信におけるサービス品質（ＱｏＳクラス）とを異なるように決定してもよい。【００６５】
課金処理部３４は、交換装置ＭＭＥに接続されている各ホーム基地局Ｈｏｍｅ-ｅＮＢ配下のＣＳＧセル及び各無線基地局ｅＮＢ配下の一般セルを介して行われる通信の料金を計算するための課金データを生成するように構成されている。【００６６】
例えば、課金処理部３４は、特定移動局によってＣＳＧセルを介して行われる通信の料金を計算するための課金データであるのか、或いは、一般移動局によってＣＳＧセルを介して行われる通信の料金を計算するための課金データであるのかについて分かるように、各課金データを生成してもよい。【００６７】
図３に示すように、ホーム基地局Ｈｏｍｅ-ｅＮＢは、アクセス権管理部２１と、報知情報送信部２２と、発信処理部２３と、着信処理部２４と、スケジューリング部２５とを具備している。【００６８】
アクセス権管理部２１は、ホーム基地局Ｈｏｍｅ-ｅＮＢ配下の各ＣＳＧセルにおける特定移動局（各ＣＳＧセルを介する通信を許容する移動局）について管理するように構成されている。【００６９】
また、アクセス権管理部２１は、各ＣＳＧセルにおいて、一般移動局に対して、当該ＣＳＧセルにおける待ち受けを許容するか否かについて管理するように構成されている。【００７０】
具体的には、アクセス権管理部２１は、各ＣＳＧセルにおいて、一般移動局に対して、当該ＣＳＧセル以外に所定の無線状態を満たす一般セルを検出できない場合にのみ、当該ＣＳＧセルにおける待ち受けを許容するように管理していてもよい。【００７１】
例えば、アクセス権管理部２１は、各ＣＳＧセルにおいて、一般移動局に対して、当該ＣＳＧセルで利用されている周波数と異なる周波数で、所定の無線状態を満たす一般セルを検出できない場合にのみ、当該ＣＳＧセルにおける待ち受けを許容するように管理していてもよい。【００７２】
或いは、アクセス権管理部２１は、各ＣＳＧセルにおいて、一般移動局に対して、当該ＣＳＧセル以外に所定の無線状態を満たす一般セルを検出できたか否かに関係なく、当該ＣＳＧセルにおける待ち受けを許容するように管理していてもよい。【００７３】
なお、ホーム基地局Ｈｏｍｅ-ｅＮＢは、ユーザの手に届く場所等に配置される可能性があるため、セキュリティ等を考慮して、アクセス管理部２１を具備しないように構成されていてもよい。【００７４】
報知情報送信部２２は、ホーム基地局Ｈｏｍｅ-ｅＮＢ配下のＣＳＧセルにて待ち受けを行っている移動局ＵＥ（特定移動局及び一般移動局）に対して、各種報知情報を送信するように構成されている。【００７５】
具体的には、報知情報送信部２２は、報知情報を、ＢＣＨ（Ｂｒｏａｄｃａｓｔ  Ｃｈａｎｎｅｌ）やＳＵ（Ｓｃｈｅｄｕｌｉｎｇ  Ｕｎｉｔ）等にマッピングして送信するように構成されていてもよい。【００７６】
例えば、報知情報送信部２２は、各セルがＣＳＧセルであるか否か（すなわち、各セルにおいてＣＳＧが設定されているか否か）について通知するための報知情報（「ＣＳＧ  Ｆｌａｇ」）を、ＢＣＨにマッピングして送信するように構成されていてもよい。【００７７】
また、報知情報送信部２２は、ＣＳＧセルに関する情報（「ＴＡ（Ｔｒａｃｋｉｎｇ  Ａｒｅａ）-ＩＤ」及び「Ｃｅｌｌ-ＩＤ」）を、ＳＵ-１にマッピングして送信するように構成されていてもよい。【００７８】
また、報知情報送信部２２は、一般移動局に対して、ＣＳＧセル以外に所定の無線状態を満たすセルを検出できない場合にＣＳＧセルにおける待ち受けを許容するか否かについて通知する報知情報（例えば、１ビットのフラグ）を、ＳＵ-１（ＳＩＢ-１）にマッピングして送信するように構成されていてもよい。【００７９】
また、報知情報送信部２２は、例えば、２ビットのフラグを用いて、一般移動局に対して、「ＣＳＧセル以外に所定の無線状態を満たすセルを検出できない場合にのみＣＳＧセルにおける待ち受けを許容する」、「ＣＳＧセル以外に所定の無線状態を満たすセルを検出できないか否かに関係なくＣＳＧセルにおける待ち受けを許容する」或いは「ＣＳＧセルにおける待ち受けを許容しない」のいずれかを通知する報知情報を、ＳＵ-１（ＳＩＢ-１）にマッピングして送信するように構成されていてもよい。【００８０】
また、報知情報送信部２２は、無線状態（例えば、混雑度）に応じて、特定移動局及び一般移動局のそれぞれに対して、別々に、ホーム基地局Ｈｏｍｅ-ｅＮＢ配下のＣＳＧセルを介する通信を禁止するか否かについて通知する報知情報（例えば、１ビットのフラグ）を、ＳＵ-１（ＳＩＢ-１）にマッピングして送信するように構成されていてもよい。【００８１】
また、報知情報送信部２２は、特定移動局及び一般移動局のそれぞれに対して、別々に、ＣＳＧセルに対する発信要求の送信確率或いは規制確率を通知する報知情報（例えば、％値）を、ＳＵ-１（ＳＩＢ-１）にマッピングして送信するように構成されていてもよい。【００８２】
ここで、発信要求の送信確率或いは規制確率は、発生した発信要求の送信が許可或いは規制される確率を示す。【００８３】
なお、報知情報送信部２２は、一般移動局に対してのみ、ＣＳＧセルに対する発信要求の送信確率或いは規制確率を通知する報知情報（例えば、％値）を送信するように構成されていてもよい。【００８４】
さらに、報知情報送信部２２は、特定移動局及び一般移動局のそれぞれに対して、別々に、ＣＳＧセルを介して提供可能な通信サービスの種類を通知する報知情報を、ＳＵ-１（ＳＩＢ-１）にマッピングして送信するように構成されていてもよい。【００８５】
例えば、報知情報送信部２２は、ＣＳＧセルを介して提供可能な通信サービスの種類として、特定移動局に対しては「音声サービス」と「音声以外のＧＢＲサービス」と「バースト型サービス」とを通知し、一般移動局に対しては「音声サービス」のみを通知してもよい。【００８６】
また、報知情報送信部２２は、ビットマップパターン（例えば、提供可能な通信サービスに対応するビットに「１」を設定すること）によって、ＣＳＧセルを介して提供可能な通信サービスの種類を通知してもよい。【００８７】
発信処理部２３は、ホーム基地局Ｈｏｍｅ-ｅＮＢ配下のＣＳＧセル及び各無線基地局ｅＮＢ配下の一般セルにて待ち受けを行っている移動局ＵＥから送信された発信要求（Ｃｏｎｎｅｃｔｉｏｎ  Ｒｅｑｕｅｓｔ）に応じた発信処理を行うように構成されている。【００８８】
例えば、発信処理部２３は、一般移動局からの発信要求（Ｃｏｎｎｅｃｔｉｏｎ  Ｒｅｑｕｅｓｔ）を受信した場合であっても、当該一般移動局の待ち受けセル（ＣＳＧセル）において、一般移動局に対して当該ＣＳＧセルを介する通信を禁止するように設定されている場合には、当該一般移動局からの発信要求（Ｓｅｒｖｉｃｅ  Ｒｅｑｕｅｓｔ）を受け付けないように構成されていてもよい。【００８９】
また、発信処理部２３は、特定移動局からの発信要求（Ｃｏｎｎｅｃｔｉｏｎ  Ｒｅｑｕｅｓｔ）を受信した場合であっても、当該特定移動局の待ち受けセル（ＣＳＧセル）において、特定移動局に対して当該ＣＳＧセルを介する通信を禁止するように設定されている場合には、当該特定移動局からの発信要求（Ｓｅｒｖｉｃｅ  Ｒｅｑｕｅｓｔ）を受け付けないように構成されていてもよい。【００９０】
着信処理部２４は、ホーム基地局Ｈｏｍｅ-ｅＮＢ配下のＣＳＧセルにて待ち受けを行っている移動局ＵＥに対する着信処理を行うように構成されている。【００９１】
例えば、着信処理部２４は、交換装置ＭＭＥから受信した移動局ＵＥ宛てのページング信号を、当該移動局ＵＥの待ち受けセル（ＣＳＧセル）宛てに転送するように構成されている。【００９２】
ただし、着信処理部２４は、交換装置ＭＭＥから一般移動局宛てのページング信号を受信した場合であっても、当該一般移動局の待ち受けセル（ＣＳＧセル）において、一般移動局に対して当該ＣＳＧセルを介する通信を禁止するように設定されている場合には、当該一般移動局宛てのページング信号を、当該ＣＳＧセル宛てに転送しないように構成されていてもよい。【００９３】
また、着信処理部３２は、交換装置ＭＭＥから特定移動局宛てのページング信号を受信した場合であっても、当該特定移動局の待ち受けセル（ＣＳＧセル）において、特定移動局ＵＥに対して当該ＣＳＧセルを介する通信を禁止するように設定されている場合には、当該特定移動局宛てのページング信号を、当該ＣＳＧセル宛てに転送しないように構成されていてもよい。【００９４】
スケジューリング部２５は、ホーム基地局Ｈｏｍｅ-ｅＮＢ配下のＣＳＧセルにおいて通信を行っている移動局ＵＥに対して、かかる上り通信におけるデータ伝送速度を割り当てて、当該データ伝送速度を通知するスケジューリング信号を送信するように構成されている。【００９５】
例えば、スケジューリング部２５は、特定移動局及び一般移動局のそれぞれに対して、別々に、当該ＣＳＧセルを介して行われる上り通信におけるデータ伝送速度を通知するように構成されていてもよい。【００９６】
図４に示すように、移動局ＵＥは、待ち受けセル決定部１１と、報知情報受信部１２と、発信処理部１３と、着信処理部１４と、通信制御部１５とを具備している。【００９７】
待ち受けセル決定部１１は、報知情報受信部１２によって受信された各種の報知情報に応じて、移動局ＵＥにて待ち受けを行うべきセル（待ち受けセル）を決定するように構成されている。【００９８】
具体的には、待ち受けセル決定部１１は、特定移動局として管理されていない場合で、かつ、ＣＳＧセルにおける待ち受けを許容することを通知する報知情報を受信した場合にのみ、ＣＳＧセルを待ち受けセルとすることができるように構成されていてもよい。【００９９】
また、待ち受けセル決定部１１は、特定移動局として管理されていない場合で、ＣＳＧセル以外に所定の無線状態を満たす一般セルを検出できない場合で、かつ、ＣＳＧセルにおける待ち受けを許容することを通知する報知情報を受信した場合にのみ、ＣＳＧセルを待ち受けセルとすることができるように構成されていてもよい。【０１００】
報知情報受信部１２は、移動局ＵＥの周辺のセル（一般セル及びＣＳＧセル）を管理する基地局（無線基地局ｅＮＢ及びホーム基地局Ｈｏｍｅ-ｅＮＢ）から送信された各種の報知情報を受信するように構成されている。【０１０１】
発信処理部１３は、移動局ＵＥの待ち受けセルを管理する基地局（無線基地局ｅＮＢ及びホーム基地局Ｈｏｍｅ-ｅＮＢ）及び交換装置ＭＭＥに対して、発信要求（Ｃｏｎｎｅｃｔｉｏｎ  Ｒｅｑｕｅｓｔ及びＳｅｒｖｉｃｅ  Ｒｅｑｕｅｓｔ）を送信するように構成されている。【０１０２】
具体的には、発信処理部１３は、ＣＳＧセルを待ち受けセルとしている場合に、当該ＣＳＧセルを介する通信を禁止することを通知する報知情報を受信していない限り、当該ＣＳＧセルに対して発信要求を送信することができるように構成されている。【０１０３】
すなわち、発信処理部１３は、特定移動局として管理されていない場合で、かつ、ＣＳＧセルを待ち受けセルとしている場合であっても、一般移動局に対して当該ＣＳＧセルを介する通信を禁止することを通知する報知情報を受信している場合には、当該ＣＳＧセルに対して発信要求を送信することができないように構成されている。【０１０４】
また、発信処理部１３は、特定移動局として管理されている場合で、かつ、ＣＳＧセルを待ち受けセルとしている場合であっても、特定移動局に対して当該ＣＳＧセルを介する通信を禁止することを通知する報知情報を受信している場合には、当該ＣＳＧセルに対して発信要求を送信することができないように構成されている。【０１０５】
着信処理部１４は、移動局ＵＥの待ち受けセルを管理する基地局（無線基地局ｅＮＢ及びホーム基地局Ｈｏｍｅ-ｅＮＢ）及び交換装置ＭＭＥから受信したページング信号に応じて、着信処理を行うように構成されている。【０１０６】
通信制御部１５は、移動局ＵＥの待ち受けセルを管理する基地局（無線基地局ｅＮＢ及びホーム基地局Ｈｏｍｅ-ｅＮＢ）から送信されたスケジュール信号によって通知されたデータ伝送速度に応じて、上りユーザデータを送信するように構成されている。【０１０７】
（本発明の第１の実施形態に係る移動通信システムの動作）
図５乃至図１０を参照して、本発明の第１の実施形態に係る移動通信システムの動作について説明する。【０１０８】
第１に、図５を参照して、本実施形態に係る移動局ＵＥが、特定移動局として管理されていない場合（すなわち、一般移動局である場合）に、待ち受けセルを決定する動作について説明する。【０１０９】
図５に示すように、ステップＳ１０１において、移動局ＵＥは、所定の無線状態（所定条件）を満たす一般セルが存在するか否かについて判定する。【０１１０】
ここで、移動局ＵＥは、各セルから受信した報知情報（「ＣＳＧ  Ｆｌａｇ」）に基づいて、各セルが「一般セル」であるか或いは「ＣＳＧセル」であるかについて判定することができる。【０１１１】
また、移動局ＵＥは、各セルから受信した報知情報（「ＴＡ-ＩＤ」及び「Ｃｅｌｌ-ＩＤ」）に基づいて、特定移動局として管理されているか否かについて判定することができる。【０１１２】
さらに、移動局ＵＥは、各セルにおける「ＲＳＲＰ（Ｒｅｆｅｒｅｎｃｅ  Ｓｉｇｎａｌ  Ｒｅｃｅｉｖｅｄ  Ｐｏｗｅｒ）」或いは「ＲＳＲＱ（Ｒｅｆｅｒｅｎｃｅ  Ｓｉｇｎａｌ  Ｒｅｃｅｉｖｅｄ  Ｑｕａｌｉｔｙ）」が所定閾値以上である場合に、かかるセルにおいて所定の無線状態を満たすと判定するものとする。【０１１３】
移動局ＵＥは、所定の無線状態を満たす一般セルが存在すると判定した場合、ステップＳ１０２において、かかる一般セルにおいて待ち受けを開始する。【０１１４】
一方、移動局ＵＥは、所定の無線状態を満たす一般セルが存在しないと判定した場合、ステップＳ１０３において、所定の無線状態（所定条件）を満たすＣＳＧセルが存在するか否かについて判定する。【０１１５】
移動局ＵＥは、所定の無線状態（所定条件）を満たすＣＳＧセルが存在しないと判定した場合、ステップＳ１０５において、圏外であることを検出する。【０１１６】
一方、移動局ＵＥは、所定の無線状態（所定条件）を満たすＣＳＧセルが存在すると判定した場合、ステップＳ１０４において、当該ＣＳＧセルにおいて一般移動局に対して待ち受けを許容しているか否かについて判定する。【０１１７】
具体的には、移動局ＵＥは、当該ＣＳＧセルを管理するホーム基地局Ｈｏｍｅ-ｅＮＢから受信した報知情報（例えば、ＣＳＧセル以外に所定の無線状態を満たすセルを検出できない場合に当該ＣＳＧセルにおける待ち受けを許容するか否かについて通知する１ビットのフラグ）に基づいて、当該ＣＳＧセルにおいて一般移動局に対して待ち受けを許容しているか否かについて判定する。【０１１８】
移動局ＵＥは、当該ＣＳＧセルにおいて一般移動局に対して待ち受けを許容していないと判定した場合、ステップＳ１０５において、圏外であることを検出する。【０１１９】
一方、移動局ＵＥは、当該ＣＳＧセルにおいて一般移動局に対して待ち受けを許容していると判定した場合、ステップＳ１０６において、当該ＣＳＧセルにおいて待ち受けを開始する。【０１２０】
第２に、図６を参照して、本実施形態に係る移動局ＵＥが、特定移動局として管理されていない場合（すなわち、一般移動局である場合）で、かつ、当該ホーム基地局Ｈｏｍｅ-ｅＮＢ配下のＣＳＧセルを待ち受けセルとしている場合に、発信処理を行う動作について説明する。【０１２１】
なお、図６の例では、当該ＣＳＧにおいて輻輳しているため、ホーム基地局Ｈｏｍｅ-ｅＮＢは、一般移動局に対して当該ＣＳＧを介する通信が禁止されているが、その旨を通知する報知情報を移動局ＵＥに対して送信していないものとする。【０１２２】
ステップＳ１００１において、ユーザにより発信するように指示された移動局ＵＥは、ＲＡＣＨ（Ｒａｎｄｏｍ  Ａｃｃｅｓｓ  Ｃｈａｎｎｅｌ）を、当該移動局ＵＥの待ち受けセルを管理しているホーム基地局Ｈｏｍｅ-ｅＮＢに対して送信する。【０１２３】
ステップＳ１００２において、ホーム基地局Ｈｏｍｅ-ｅＮＢは、受信したＲＡＣＨに応じて、移動局ＵＥに対して「ＲＡ  Ｒｅｓｐｏｎｓｅ」を返送する。【０１２４】
ステップＳ１００３において、移動局ＵＥは、ＲＲＣ（Ｒａｄｉｏ  Ｒｅｓｏｕｒｃｅ  Ｃｏｎｔｒｏｌ）によって、「Ｃｏｎｎｅｃｔｉｏｎ  Ｒｅｑｕｅｓｔ（発信要求）」を、ホーム基地局Ｈｏｍｅ-ｅＮＢに対して送信する。【０１２５】
ホーム基地局Ｈｏｍｅ-ｅＮＢは、ステップＳ１００４において、受信した「Ｃｏｎｎｅｃｔｉｏｎ  Ｒｅｑｕｅｓｔ（発信要求）」に応じて「ＣＡＣ（Ｃａｌｌ  Ａｄｍｉｓｓｉｏｎ  Ｃｎｔｒｏｌ）処理」を行い、ステップＳ１００５において、ＲＲＣによって、上述の「Ｃｏｎｎｅｃｔｉｏｎ  Ｒｅｑｕｅｓｔ（発信要求）」の受付を拒否することを通知する「Ｒｅｊｅｃｔ」を、移動局ＵＥに対して送信する。【０１２６】
第３に、図７を参照して、本実施形態に係る移動局ＵＥが、特定移動局として管理されていない場合（すなわち、一般移動局である場合）で、かつ、当該ホーム基地局Ｈｏｍｅ-ｅＮＢ配下のＣＳＧセルを待ち受けセルとしている場合に、発信処理を行う動作について説明する。【０１２７】
なお、図７の例では、当該ＣＳＧにおいて輻輳しているため、交換装置ＭＭＥは、一般移動局に対して当該ＣＳＧを介する通信が禁止されているが、ホーム基地局Ｈｏｍｅ-ｅＮＢを介して、その旨を通知する報知情報を移動局ＵＥに対して送信していないものとする。【０１２８】
ステップＳ２００１において、ユーザにより発信するように指示された移動局ＵＥは、ＲＡＣＨを、当該移動局ＵＥの待ち受けセルを管理しているホーム基地局Ｈｏｍｅ-ｅＮＢに対して送信する。【０１２９】
ステップＳ２００２において、ホーム基地局Ｈｏｍｅ-ｅＮＢは、受信したＲＡＣＨに応じて、移動局ＵＥに対して「ＲＡ  Ｒｅｓｐｏｎｓｅ」を返送する。【０１３０】
ステップＳ２００３において、移動局ＵＥは、ＲＲＣによって、「Ｃｏｎｎｅｃｔｉｏｎ  Ｒｅｑｕｅｓｔ（発信要求）」を、ホーム基地局Ｈｏｍｅ-ｅＮＢに対して送信する。【０１３１】
ステップＳ２００４において、ホーム基地局Ｈｏｍｅ-ｅＮＢは、受信した「Ｃｏｎｎｅｃｔｉｏｎ  Ｒｅｑｕｅｓｔ（発信要求）」に応じて、移動局ＵＥとの間の無線ベアラを設定し、ＲＲＣによって、その旨を通知する「Ｃｏｎｎｅｃｔｉｏｎ  Ｓｅｔｕｐ」を、移動局ＵＥに対して送信する。【０１３２】
ステップＳ２００５において、移動局ＵＥは、ＮＡＳ（Ｎｏｎ-Ａｃｃｅｓｓ  Ｓｔｒａｔｕｍ）によって、「Ｓｅｒｖｉｃｅ  Ｒｅｑｕｅｓｔ（発信要求）」を、ホーム基地局Ｈｏｍｅ-ｅＮＢを介して、交換装置ＭＭＥに対して送信する。【０１３３】
交換装置ＭＭＥは、ステップＳ２００６において、受信した「Ｓｅｒｖｉｃｅ  Ｒｅｑｕｅｓｔ（発信要求）」に応じて「ＣＡＣ処理」を行い、ステップＳ２００７において、ＮＡＳによって、上述の「Ｓｅｒｖｉｃｅ  Ｒｅｑｕｅｓｔ（発信要求）」の受付を拒否することを通知する「Ｒｅｊｅｃｔ」を、移動局ＵＥに対して送信する。【０１３４】
第４に、図８を参照して、本実施形態に係る移動局ＵＥが、特定移動局として管理されていない場合（すなわち、一般移動局である場合）で、かつ、当該ホーム基地局Ｈｏｍｅ-ｅＮＢ配下のＣＳＧセルを待ち受けセルとしている場合に、発信処理を行う動作について説明する。【０１３５】
なお、図８の例では、当該ＣＳＧにおいて輻輳しているため、ホーム基地局Ｈｏｍｅ-ｅＮＢは、一般移動局に対して当該ＣＳＧを介する通信が禁止されているが、その旨を通知する報知情報を移動局ＵＥに対して送信していないものとする。【０１３６】
図８に示すように、ステップＳ３００１乃至Ｓ３００５の動作は、図７に示すステップＳ２００１乃至Ｓ２００５の動作と同一である。【０１３７】
ステップＳ３００６において、交換装置ＭＭＥは、受信した「Ｓｅｒｖｉｃｅ  Ｒｅｑｕｅｓｔ（発信要求）」に応じて、移動局ＵＥとの間のＥＰＳ（Ｅｖｏｌｖｅｄ  Ｐａｃｋｅｔ  Ｓｙｓｔｅｍ）ベアラを設定し、その旨を通知する「Ｓ１  Ｃｏｎｔｅｘｔ  Ｓｅｔｕｐ」を、ホーム基地局Ｈｏｍｅ-ｅＮＢに対して送信する。【０１３８】
ホーム基地局Ｈｏｍｅ-ｅＮＢは、ステップＳ３００７において、受信した「Ｓ１  Ｃｏｎｔｅｘｔ  Ｓｅｔｕｐ」に応じて「ＣＡＣ処理」を行い、ステップＳ３００８において、上述の「Ｓｅｒｖｉｃｅ  Ｒｅｑｕｅｓｔ（発信要求）」の受付を拒否することを通知する「Ｒｅｊｅｃｔ」を、移動局ＵＥに対して送信する。【０１３９】
第５に、図９を参照して、本実施形態に係る移動局ＵＥが、特定移動局として管理されていない場合（すなわち、一般移動局である場合）で、かつ、当該ホーム基地局Ｈｏｍｅ-ｅＮＢ配下のＣＳＧセルを待ち受けセルとしている場合に、かかる移動局ＵＥに対する着信処理を行う動作について説明する。【０１４０】
なお、図９の例では、当該ＣＳＧにおいて輻輳しているため、一般移動局に対して当該ＣＳＧを介する通信が禁止されており、交換装置ＭＭＥが、そのことを把握しているものとする。【０１４１】
図９に示すように、ゲートウェイ装置Ｓ-ＧＷは、ステップＳ４００１において、移動局ＵＥ宛ての着信信号（ＳＩＰメッセージ）を受信し、ステップＳ４００２において、その旨を通知する当該移動局ＵＥ宛てのページング信号を交換装置ＭＭＥに対して送信する。【０１４２】
ステップＳ４００３において、交換装置ＭＭＥは、当該移動局ＵＥの待ち受けセル（ＣＳＧセル）において、一般移動局に対して当該ＣＳＧセルを介する通信が禁止されているため、当該移動局ＵＥ宛てのページング信号をホーム基地局Ｈｏｍｅ-ｅＮＢに対して転送することなく廃棄する。【０１４３】
第６に、図１０を参照して、本実施形態に係る移動局ＵＥが、特定移動局として管理されていない場合（すなわち、一般移動局である場合）で、かつ、当該ホーム基地局Ｈｏｍｅ-ｅＮＢ配下のＣＳＧセルを待ち受けセルとしている場合に、かかる移動局ＵＥに対する着信処理を行う動作について説明する。【０１４４】
なお、図１０の例では、当該ＣＳＧにおいて輻輳しているため、一般移動局に対して当該ＣＳＧを介する通信が禁止されており、ホーム基地局Ｈｏｍｅ-ｅＮＢが、そのことを把握しているものとする。【０１４５】
図１０に示すように、ゲートウェイ装置Ｓ-ＧＷは、ステップＳ５００１において、移動局ＵＥ宛ての着信信号（ＳＩＰメッセージ）を受信し、ステップＳ５００２において、その旨を通知する当該移動局ＵＥ宛てのページング信号を交換装置ＭＭＥに対して送信する。【０１４６】
ステップＳ５００３において、交換装置ＭＭＥは、当該移動局ＵＥ宛てのページング信号をホーム基地局Ｈｏｍｅ-ｅＮＢに対して転送する。【０１４７】
ステップＳ５００４において、ホーム基地局Ｈｏｍｅ-ｅＮＢは、当該移動局ＵＥの待ち受けセル（ＣＳＧセル）において、一般移動局に対して当該ＣＳＧセルを介する通信が禁止されているため、当該移動局ＵＥ宛てのページング信号をホーム基地局Ｈｏｍｅ-ｅＮＢに対して転送することなく廃棄する。【０１４８】
（本発明の第１の実施形態に係る移動通信システムの作用・効果）
本実施形態に係る移動通信システムによれば、特定移動局以外の一般移動局ＵＥに対して、報知情報を送信することによって、ホーム基地局Ｈｏｍｅ-ｅＮＢ配下のＣＳＧセル以外に所定の通信品質を満たすセルを検出できない場合に、当該ＣＳＧセルを介する通信を許容することができるので、一般移動局ＵＥの通信可能エリアを拡大することができる。【０１４９】
また、本実施形態に係る移動通信システムによれば、ＣＳＧセルにおける通信に関して、特定移動局と一般移動局とで差別化を図ることで、ホーム基地局Ｈｏｍｅ-ｅＮＢの所有者（通常は、特定移動局のユーザでもある）を優遇しつつ、効率的に、一般移動局ＵＥの通信可能エリアを拡大することができる。【０１５０】
また、本実施形態に係る移動通信システムによれば、ＣＳＧセルによる干渉問題を回避することができる。【０１５１】
なお、上述の移動局ＵＥやホーム基地局Ｈｏｍｅ-ｅＮＢや交換装置ＭＭＥの動作は、ハードウェアによって実施されてもよいし、プロセッサによって実行されるソフトウェアモジュールによって実施されてもよいし、両者の組み合わせによって実施されてもよい。【０１５２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。【０１５３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢ内に設けられていてもよい。また、かかる記憶媒体及びプロセッサは、ディスクリートコンポーネントとして移動局ＵＥ及び無線基地局ｅＮＢ内に設けられていてもよい。【０１５４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。【０１５５】
なお、日本国特許出願第２００７−２８１０２１号（２００７年１０月２９日出願）の全内容が、参照により、本願明細書に組み込まれている。
【産業上の利用可能性】
【０１５６】
以上のように、本発明によれば、特定移動局以外の一般移動局に対して、報知情報を送信することによって、特定セル（ＣＳＧセル）を介する通信を許容することができる移動通信システム、基地局及び移動局を提供することができる。
【図１】
2009057602.tif 000003
【図２】
2009057602.tif 000004
【図３】
2009057602.tif 000005
【図４】
2009057602.tif 000006
【図５】
2009057602.tif 000007
【図６】
2009057602.tif 000008
【図７】
2009057602.tif 000009
【図８】
2009057602.tif 000010
【図９】
2009057602.tif 000011
【図１０】
2009057602.tif 000012
【手続補正書】
【提出日】平成22年7月8日(2010.7.8)
【手続補正１】
【補正対象書類名】明細書
【補正対象項目名】００７０
【補正方法】変更
【補正の内容】
【００７０】
或いは、アクセス権管理部２１は、各ＣＳＧセルにおいて、一般移動局に対して、当該ＣＳＧセル以外に所定の通信状況を満たす一般セルを検出できたか否かに関係なく、当該ＣＳＧセルにおける待ち受けを許容するように管理していてもよい。なお、ホーム基地局Ｈｏｍｅ-ｅＮＢは、ユーザの手に届く場所等に配置される可能性があるため、セキュリティ等を考慮して、アクセス権管理部２１を具備しないように構成されていてもよい。
【手続補正２】
【補正対象書類名】明細書
【補正対象項目名】００８９
【補正方法】変更
【補正の内容】
【００８９】
また、着信処理部２４は、交換装置ＭＭＥから特定移動局宛てのページング信号を受信した場合であっても、当該特定移動局の待ち受けセル（ＣＳＧセル）において、特定移動局ＵＥに対して当該ＣＳＧセルを介する通信を禁止するように設定されている場合には、当該特定移動局宛てのページング信号を、当該ＣＳＧセル宛てに転送しないように構成されていてもよい。
【手続補正３】
【補正対象書類名】明細書
【補正対象項目名】０１２１
【補正方法】変更
【補正の内容】
【０１２１】
ホーム基地局Ｈｏｍｅ-ｅＮＢは、ステップＳ１００４において、受信した「Ｃｏｎｎｅｃｔｉｏｎ  Ｒｅｑｕｅｓｔ（発信要求）」に応じて「ＣＡＣ（Ｃａｌｌ  Ａｄｍｉｓｓｉｏｎ  Ｃｏｎｔｒｏｌ）処理」を行い、ステップＳ１００５において、ＲＲＣによって、上述の「Ｃｏｎｎｅｃｔｉｏｎ  Ｒｅｑｕｅｓｔ（発信要求）」の受付を拒否することを通知する「Ｒｅｊｅｃｔ」を、移動局ＵＥに対して送信する。
【手続補正４】
【補正対象書類名】明細書
【補正対象項目名】０１４３
【補正方法】変更
【補正の内容】
【０１４３】
ステップＳ５００４において、ホーム基地局Ｈｏｍｅ-ｅＮＢは、当該移動局ＵＥの待ち受けセル（ＣＳＧセル）において、一般移動局に対して当該ＣＳＧセルを介する通信が禁止されているため、当該移動局ＵＥ宛てのページング信号を移動局ＵＥに対して転送することなく廃棄する。
【国際調査報告】
2009057602.tif 000013
2009057602.tif 000014
2009057602.tif 000015
2009057602.tif 000016